(57)【要約】      （修正有）【課題】オンラインミュージックプレイヤー装置上に設置したチップカードリーダー装置を利用することでオンライン決済を行う装置を提供する。【解決手段】オンラインミュージックプレイヤーとチップカードリーダーの機能を結合した装置を提案する。この装置は、インターネットプラットフォーム代理プログラムを利用して、装置内のオンラインミュージックプレイヤーユニットとチップカードリーダーユニットを同時に駆動し、チップカードリーダー装置がインターネットに接続する環境を実現する。ユーザーは、プリペイド機能を備えたチップカードにより、チップカードリーダーユニットを通じてオンライン取引と小額決済を行うことができ、いかなるユーザー認証手続きや個人データの転送も必要としない。【選択図】図３
0003154053.tif 000002
【実用新案登録請求の範囲】
【請求項１】
コンピューターシステムに接続するデータ転送インターフェイスと、インターネットを通じてダウンロードしたストリーミングミュージック信号のデジタルアナログ変換を行う音効処理ユニットと、前記音効処理ユニットに電気接続し処理されていないストリーミングミュージック信号を一時的に保存するために用いられる記憶ユニットと、前記の変換されたストリーミングミュージック信号を出力するために用いられる拡声器を含み、インターネットインフォメーションサービスプラットフォームが識別に用いる識別コードを有しているオンラインミュージックプレイヤーユニットと、
接続インターフェイスによって前記オンラインミュージックプレイヤーユニットに接続され前記コンピューターシステムによって前記インターネット経由で前記インターネットインフォメーションサービスプラットフォームに接続されるチップカードリーダーユニットとを備え、
前記オンラインミュージックプレイヤーユニットと前記チップカードリーダーユニットは前記コンピューターシステムと接続するインターフェイスを共有し、且つ前記コンピューターシステムが提供する電力を共有することを特徴とする、オンラインミュージックプレイヤーとチップカードリーダーの機能を結合した装置。
【請求項２】
インターネットプラットフォーム代理プログラムによって駆動されることを特徴とする、請求項１に記載したオンラインミュージックプレイヤーとチップカードリーダーの機能を結合した装置。
【請求項３】
前記チップカードリーダーユニットは、ＲＦＩＤカードを読み取る読取ユニットであることを特徴とする、請求項１に記載したオンラインミュージックプレイヤーとチップカードリーダーの機能を結合した装置。
【請求項４】
前記オンラインミュージックプレイヤーユニットは、前記音効処理ユニットに電気接続し出力アナログ信号を拡大するために用いられる拡大ユニットと、前記データ転送インターフェイスに電気接続し前記コンピューターシステムが前記データ転送インターフェイスを通じて提供する電力を得るために用いられる電力管理ユニットを更に含むことを特徴とする、請求項１に記載したオンラインミュージックプレイヤーとチップカードリーダーの機能を結合した装置。
【請求項５】
前記オンラインミュージックプレイヤーユニットは、外部音源の音データを受信するために用いられる入力インターフェイスと、もう一つの外部拡声装置によって音データを出力するために用いられる出力インターフェイスと、オンラインミュージックプレイヤーユニットの音量とスイッチをコントロールすることができる複数個のファンクションキーを更に含むことを特徴とする、請求項４に記載したオンラインミュージックプレイヤーとチップカードリーダーの機能を結合した装置。
【請求項６】
前記チップカードリーダーユニットは、接触或いは非接触方式によってチップカードのデータを読み取ることを特徴とする、請求項１に記載したオンラインミュージックプレイヤーとチップカードリーダーの機能を結合した装置。
【請求項７】
前記オンラインミュージックプレイヤーユニットと前記チップカードリーダーユニットは、インターネットプラットフォーム代理プログラムによって同時に駆動されることを特徴とする、請求項１に記載したオンラインミュージックプレイヤーとチップカードリーダーの機能を結合した装置。
【考案の詳細な説明】
【技術分野】
【０００１】
本考案はオンラインミュージックプレイヤーとチップカードリーダーの機能を結合した装置に関し、特にオンラインミュージックプレイヤー装置上に設置したチップカードリーダー装置を利用することでオンライン決済を便利に行う技術に関する。
【背景技術】
【０００２】
インターネットが安全であるという前提の下、インターネットを利用した各種オンラインサービスの提供の運用が日増しに成熟してきている。インターネットショッピングモールを利用したショッピングやオークション・競売行為、更にはネットバンクを利用した振り込み、支払い、残高照会、株や基金の購入等の商業行為を含む、オンライン決済を使用したショッピングを行うことに対して、消費者は次第に抵抗がなくなってきている。
【０００３】
どんなインターネット決済システムでも、消費者の消費権益を保障するために、安全なインターネット環境は必要である。その内の一つの方法が、コンピューターシステムに接続されたチップカードリーダーを利用することである。チップカード自体の安全な仕組みを通してユーザーの身分を認証して、インターネットブラウザのインターフェイスを使用することにより特定のショッピングプラットフォームの消費を行う。例えばクレジットカード、キャッシュカード、電子財布などは全て類似の仕組みをもつ。また、もう一つの方法は、専用線が達成する電子財布を利用したショッピング行為である。これは例えばコンビニエンスストアの電子財布に適用されている。
【０００４】
図１は、従来の技術におけるカードリーダーを利用したインターネットへの接続を示した図である。この例は、インターネット１１に接続したコンピューターシステム１０を通じ、ユーザーがカードリーダー１４を利用してチップカード１８を読み取る消費行為である。コンピューターシステム１０は、データ装置１２によってインターネット１１に接続される。プリペイド機能を備えたチップカード１８は、電子財布機能を備えたチップカードやキャッシュカードであり、カードリーダー１４を通してコンピューターシステム１０に接続され、さらにリモートサーバー（図示せず）と接続されることにより、識別或いは認証後に特定のインターネット上の決済行為を行うことができるようになる。
【０００５】
図２は、従来の技術の電子財布システムの関係図である。その中で、個人消費者２１、サービス提供業者２３そしてインフォメーションサーバー２５の三者の関係を示している。中華民国特許第４８３２７９号に記載されている電子財布の技術を参照されたい。
【０００６】
サービス提供業者２３は各種オンラインインフォメーションサービスを提供する業者であり、ネットワーク２０４によってインフォメーションサーバー２５に接続する。インフォメーションサーバー２５は、ユーザーの登録認証管理のデータベースや各種ビデオデータ・商品情報等を含む、各種サービスのデジタルデータを保存する。サービスを行う時、個人消費者２１はインターネットを通じてサービス提供業者２３と接続することにより、個人データ・識別コード（ＩＤ）やパスワード等を含むデータ（２０２）を登録することができる。続いて、サービス提供業者２３は、インフォメーションサーバー２５の中に、登録したユーザーデータ（２０３）を保存する。
【０００７】
その後、個人消費者２１は、サービス提供業者２３を通じて各種商品やインフォメーションサービスを使用する。まずは、サービス提供業者２３が個人消費者２１の身分の要求認証（２０１）をし、個人消費者２１は、サービス提供業者２３が提供するインターフェイス環境を通じて認証を行う。認証データ入力（２０６）をするとインフォメーションサーバー２５に入ることができる。インフォメーションサーバー２５がユーザーデータを対比・検索することで認証が完成し、続けて、個人消費者２１が要求するインフォメーションサービス（２０５）を提供する。この従来の技術においては、個人消費者２１は、プリペイド機能を備えた電子財布によってチケットの購入を行うことができる。また、従来の技術はその他のショッピング行為にも応用できる。
【０００８】
上述の個人消費者２１、サービス提供業者２３、インフォメーションサーバー２５の三者間が形成する電子財布或いはクレジットカードの消費パターンは、主に比較的安全な決済の仕組みを提供できるが、非常に煩雑で重複した認証プロセスが生じてしまう。もし、消費者が小額の決済をしたいだけであったら、この仕組みは決して便利とはいえず、消費意欲に影響してしまう。
【考案の概要】
【考案が解決しようとする課題】
【０００９】
上記したように、電子財布の使用が日増しに普及していくに際して、従来の技術が提供する比較的安全な消費システムの下では、形成される消費行為がスムーズでなく、手続きが煩雑且つ重複するという問題がある。本考案は、この問題を解決することを課題とする。
【課題を解決するための手段】
【００１０】
上記問題を解決するため、本考案に係るオンラインミュージックプレイヤーとチップカードリーダーの機能を結合した装置は、主にプリペイド機能を備えたチップカード（例えば、ＭＲＴが運用しているＥＡＳＹ  ＣＡＲＤ）を使用し、いかなる認証手続きも不要で個人データを転送する必要もないという優位性の下、簡単で便利な消費行為を創りだす。この仕組みは、一般的な小額を決済する状況に更に適している。また、本考案では、装置の構造上、チップカードリーダー装置をオンラインミュージックプレイヤー装置と結合させ、同じデータ転送経路を使用し、装置が使う電力を共用することで、使用上の利便性を更に備えるようにする。また、チップカードを利用してオンライン決済を行うことで、音楽を聴くことと便利な消費という二つの利点を同時に得ることができるようにする。
【００１１】
ユーザー側に接続したコンピューターシステムは、接続インターフェイスによってオンラインミュージックプレイヤー装置に接続する。主な実施例は、拡声器を備えたスピーカーである。それ自身がファームウェアに記録する識別コードを有し、コンピューターシステムに接続するとき自動或いは手動で上述のインターネットプラットフォーム代理プログラムを起動することで、自動的にインターネットに接続して前記インターネットインフォメーションサービスプラットフォームからストリーミングミュージックをダウンロードすることができ、同時に、オンラインミュージックプレイヤーとチップカードリーダーの機能を結合した装置を駆動することができる。チップカードリーダー装置は、このオンラインミュージックプレイヤー装置を通してインターネットに接続され、さらにインターネットインフォメーションサービスプラットフォームに接続される。ユーザーはこのチップカードリーダー装置によって一歩進んだ消費行為を行うことができる。
【００１２】
オンラインミュージックプレイヤーとチップカードリーダーの機能を結合した装置は、オンラインミュージックプレイヤーユニットとチップカードリーダーユニットに大きく分けられる。そのうち、オンラインミュージックプレイヤーユニットは識別コードを有していて、インターネットインフォメーションサービスプラットフォームが識別するために用いられる。このユニットは更に、コンピューターシステムに接続するデータ転送インターフェイス、ダウンロードしたストリーミングミュージック信号のデジタルアナログ変換を行う音効処理ユニット、データを一時的に保存する記憶ユニット、そして拡声器を含む。チップカードリーダーユニットは、接続インターフェイスを通して前記オンラインミュージックプレイヤーユニットに接続し、さらにコンピューターシステムを通してインターネットインフォメーションサービスプラットフォームに接続する。また、オンラインミュージックプレイヤーユニットとチップカードリーダーユニットは、コンピューターシステムと連結されたインターフェイスを共用することができ、コンピューターシステムの電力を共用することもできる。
【００１３】
チップカードリーダー装置は給電し初期化した後、チップカードのデータを読み取ることができる。好ましい実施例は、カードを差し込む接触方式によりチップカードのデータを読み取る方法と、非接触の感応方式によってチップカードデータを読み取る方法が含まれる。チップカードの信号を確認した後、インターネットプラットフォーム代理プログラムを通してインターネットインフォメーションサービスプラットフォームと接続することにより、認証や個人データの転送が必要無い取引や決済を行うことができる。
【図面の簡単な説明】
【００１４】
【図１】従来の技術におけるカードリーダーを利用したインターネットへの接続を示した概略図である。
【図２】従来の技術における電子財布システムの関係図である。
【図３】オンラインミュージックプレイヤーとチップカードリーダーを結合した装置を利用したオンライン決済システムの概略図である。
【図４】本考案におけるオンラインミュージックプレイヤーとチップカードリーダーの機能を結合した装置の電気回路ブロックと、周辺接続の実施例を示した説明図である。
【図５】本考案システムにおける、オンラインミュージックプレイヤーとチップカードリーダーの機能を結合した装置の電気回路ブロックの実施例を示した説明図である。
【図６】本考案が提供するオンラインミュージックプレイヤーとチップカードリーダーの機能を結合した装置が達成するオンライン決済システムを示す関係図である。
【考案を実施するための形態】
【００１５】
従来の技術が提供する、認証と個人データの転送が必要な消費システムとは異なり、本考案に係るオンラインミュージックプレイヤーとチップカードリーダーの機能を結合した装置は、例えばＭＲＴが運用するＥＡＳＹ  ＣＡＲＤ（一種のＲＦＩＤカード）やその他類似の電子財布のような、プリペイド機能を備えたチップカードを使用する。消費者はオンラインで消費行為をする時に、いかなる認証手続きも不要であり、また個人情報の転送も必要ない。この簡略化された決済手順を経つつ、オンラインミュージックプレイヤーとチップカードリーダーの機能を結合した装置を組み合わせることによって、簡単で便利な消費行為を創りだすことができる。
【００１６】
本考案におけるオンラインミュージックプレイヤーとチップカードリーダーの機能を結合した装置の決済システムを使用することで、認証と個人データの転送が必要の無い消費行為を提供することができる。この種のシステムは、その特性上、消費者の個人データの安全を更に保護することができる。主な実施態様は、チップカードのプリペイド額から直接引き落としを行い、このサービスを提供するインフォメーションサービスサーバーによって引き落とし金額を確認する方法であるが、これは一般の小額決済の状況に更に適している。
【００１７】
装置の構造上、本考案に係る装置は、オンラインミュージックプレイヤーとチップカードリーダーの機能を統合させている。これによってできた装置により、同じデータ転送経路を使用してコンピューターシステム（デスクトップ型パソコン、ノートブック型パソコン、携帯式の小型コンピューターシステム、携帯電話等を含む）に接続することや、装置が使う電力を共用することができ、使用上更なる利便性を備えている。さらに、チップカードを利用してオンライン決済を行うことで、音楽を聴くことと便利な消費という二つの利点を同時に得ることができる。
【００１８】
もう一つの特色としては、通常のチップカードリーダー装置とオンラインミュージックプレイヤー装置は、設定上、各自の駆動プログラムをそれぞれインストールしなければならないが、本考案では、インターネットプラットフォーム代理プログラムと統合することで、チップカードリーダー装置とオンラインミュージックプレイヤー装置を同時に駆動させることができる。このミュージックプレイヤーとチップカードリーダーを結合した機能によって、更に独創的で利便性を備えた考案になっている。
【００１９】
図３は、オンラインミュージックプレイヤーとチップカードリーダーを結合した装置を使用したオンライン決済システムの概略図である。その中で、データ装置３２を通じてインターネット３１に接続するコンピューターシステム３０を示している。オンラインミュージックプレイヤー装置３４とこの装置３４上に設置されたチップカードリーダー装置３６はコンピューターシステム３０に電気接続され、コンピューターシステム３０にインストールされたインターネットプラットフォーム代理プログラム３０１によって、このオンラインミュージックプレイヤーとチップカードリーダーを結合した装置（３４，３６）が同時に駆動される。また、インターネットインフォメーションサービスプラットフォーム３１１に接続することで、ストリーミングミュージックやその他の音データをダウンロードできる。さらに、ユーザーは、このシステムを通じてチップカード３８を使用し、データをインターネットインフォメーションサービスプラットフォーム３１１に転送することができる。
【００２０】
図３に示すオンライン決済システムの主な目的は、オンラインミュージックプレイヤー装置３４とチップカードリーダー装置３６を使用することでオンライン決済の仕組みを提供できるようにすることである。そのうち、オンラインミュージックプレイヤー装置３４は拡声機能を備えた装置であり、接続インターフェイス（好ましい実施例はＵＳＢである）を通じてコンピューターシステム３０に接続し、この接続インターフェイスにより電力の供給を受ける。同時に、チップカードリーダー装置３６は、オンラインミュージックプレイヤー装置３４に設置されているため、この接続インターフェイス（好ましい実施例はＵＳＢである）を共同で使用してコンピューターシステム３０に接続され、これも同様に電力の供給を受けることができる。なお、オンラインミュージックプレイヤー装置３４とチップカードリーダー装置３６の構造上の関係は、図に示す態様に限るものではない。
【００２１】
図３のインターネットインフォメーションサービスプラットフォーム３１１は、オンラインミュージックのストリーミングダウンロード・データのダウンロード・商品購入・チケット業務の処理等を含む遠隔インフォメーションサービスを提供することができ、それによってインターネットビジネスの形式が存在することを可能にしている。また、ユーザー側のコンピューターシステム３０には、インターネットプラットフォーム代理プログラム３０１がインストールされていて、上述のインターネットインフォメーションサービスプラットフォーム３１１に接続するためのユーザーインターフェイス（特にインフォメーションサービスを提供するインタラクティブな（ｉｎｔｅｒａｃｔｉｖｅ）ユーザーインターフェイス）になっている。例としては、インターネットプラットフォーム代理プログラム３０１がコンピューターシステム３０のホームページブラウザを起動し、そのホームページブラウザによってインフォメーションサービスを行うといったことが挙げられる。
【００２２】
本考案が提供するオンラインミュージックプレイヤー装置３４は専属識別コードを有しており、ファームウェアやその他の形式の記憶装置に記録される識別データとなる。コンピューターシステム３０に接続するとき、自動或いは手動にてインターネットプラットフォーム代理プログラム３０１を実行することで、インターネットインフォメーションサービスプラットフォーム３１１に接続することができる。オンラインミュージックプレイヤー装置３４がコンピューターシステム３０を通じてインターネット３１とインターネットインフォメーションサービスプラットフォーム３１１に接続するとき、インターネットインフォメーションサービスプラットフォーム３１１は、この識別コードによって接続している全てのオンラインミュージックプレイヤー装置３４を判別することができ、それにより認証効果が得られ、ミュージックデータストリーム或いはその他の音データのダウンロードが許可される。
【００２３】
同時に、ユーザーはチップカード３８を使用することで、接触式或いは非接触式等の方式とチップカードリーダー装置３６により、接続手順を実行することができる。ユーザーが、インターネットプラットフォーム代理プログラム３０１を通じて、この例のインターネットインフォメーションサービスプラットフォーム３１１のような特定のオンラインショッピングプラットフォームに接続するときは、消費者が決済を決定した後、インターネットインフォメーションサービスプラットフォーム３１１が、このオンライン決済システムのチップカードリーダー装置３６が読み取ったチップカード３８のデータを即座に受け取る。
【００２４】
本考案において、このチップカード３８は電子財布機能を有するチップカードであり、チップカードリーダー装置３６を通してインターネットインフォメーションサービスプラットフォーム３１１が提供する商品とサービスを購入することができる。この実施例は、いかなるユーザー認証やユーザーの個人データの転送も必要なく、インターネットインフォメーションサービスプラットフォーム３１１を通してチップカード３８サービス提供に関連するインフォメーションサービス業者（サーバー）が引き落としを確認し、チップカード３８内に残高を記録するだけでよい。
【００２５】
図４は、本考案のシステムにおけるオンラインミュージックプレイヤーとチップカードリーダーの機能を結合した装置の電気回路ブロックと周辺接続の実施例を示す図である。オンラインミュージックプレイヤーとチップカードリーダーの機能を結合した装置は、実際の構造上、図３に示すようなオンラインミュージックプレイヤー装置３４とその上に取り付けるチップカードリーダー装置３６に区分けすることができ、電気回路上では、オンラインミュージックプレイヤーユニット４０とチップカードリーダーユニット４２に分かれる。そのうち、オンラインミュージックプレイヤーユニット４０の一端をコンピューターシステム３０に電気接続することで、このオンラインミュージックプレイヤーユニット４０をインターネット３１にも接続することができる。オンラインミュージックプレイヤーユニット４０のもう一端は、チップカードリーダーユニット４２に電気接続される。チップカード３８（或いは非接触式のＲＦＩＤカード）のデータはチップカードリーダーユニット４２によって読み取られた後、オンラインミュージックプレイヤーユニット４０によってコンピューターシステム３０に転送され、さらにインターネットインフォメーションサービスプラットフォーム３１１に転送される。
【００２６】
図が示すように、オンラインミュージックプレイヤーユニット４０は、少なくとも相互に電気接続するデータ転送インターフェイス４４１、拡声器４４４、拡大ユニット４４３、音効処理ユニット４４２そして接続インターフェイス４４５を含む。データ転送インターフェイス４４１の好ましい実施例はＵＳＢである。オンラインミュージックプレイヤーユニット４０のデータ転送インターフェイス４４１をコンピューターシステム３０に接続することにより、コンピューターシステム３０はこのデータ転送インターフェイス４４１を通じて電力をオンラインミュージックプレイヤーユニット４０とチップカードリーダーユニット４２に同時に提供することができる。オンラインミュージックプレイヤーユニット４０は、ストリーミングミュージックやその他の音データを受信するために用いられ、受信した音データは拡大ユニット４４３、拡声器４４４を通じて再生される。また、オンラインミュージックプレイヤー４０は、チップカードリーダーユニット４２に接続する接続インターフェイス４４５を有している。このインターフェイスは上述のデータ転送インターフェイス４４１が延長したものであり、同じインターフェイスの形式を有する（例えばＵＳＢ）。
【００２７】
オンラインミュージックプレイヤーユニット４０は、更に音効処理ユニット４４２を有している。ストリーミングミュージック或いはその他の音データのデジタルアナログ変換を行い、その後、拡大ユニット４４３によって出力デジタル信号が拡大され、拡声器４４４を通じて再生される。また、同時に、信号処理の処理器にもなり、それぞれデータ転送インターフェイス４４１と接続インターフェイス４４５を通じて外部装置に接続される。
【００２８】
図５が示しているのは、上述のオンラインミュージックプレイヤーユニット４０のもう一つの実施例における電気回路ブロック図である。上述のデータ転送インターフェイス４４１、拡声器４４４、拡大ユニット４４３、音効処理ユニット４４２、そして接続インターフェイス４４５以外に、音効処理ユニット４４２には、さらに電力管理ユニット５１１、入力インターフェイス５１２、出力インターフェイス５１３、ファンクションキー５１４そして記憶ユニット５１５を電気接続している。
【００２９】
上述した記憶ユニット５１５は、音効処理ユニット４４２に電気接続され、処理されていないストリーミングミュージックの信号を一時的に保存したり、或いはデジタルアナログ変換を通った信号を一時的に保存しておいたりするために用いられる。電力管理ユニット５１１は、データ転送インターフェイス４４１を通じてコンピューターシステム３０の電力を得ることを管理するために用いられる。
【００３０】
入力インターフェイス５１２、出力インターフェイス５１３とファンクションキー５１４は、オンラインミュージックプレイヤーユニット４０のフロントパネルにおいて外部に繋がるインターフェイスになる。例えば、入力インターフェイス５１２は、マイクやその他のアナログ或いはデジタル音源のような外部音源の音データを受信する。出力インターフェイス５１３は、外部の拡声装置や、イヤホンや音響設備・録音設備等を含むその他の音データを受信する装置に接続することができる。その他には、一つ或いは複数個のファンクションキー５１４を有しており、このファンクションキー５１４によって、オンラインミュージックプレイヤーユニット４０の音量と、音量つまみ・電力スイッチ・或いは接続起動キー（キーを押すと即座にインターネット接続が起動し、データをダウンロードする）等のようなスイッチをコントロールできる。
【００３１】
上述のオンラインミュージックプレイヤーユニット４０は識別コードを有している。この識別コードは、ファームウェアや記憶装置に記録する識別データになり、インターネット接続をするとき、インターネットインフォメーションサービスプラットフォームに転送され、識別することに用いられる。チップカードリーダーユニット４２は、チップカードのデータを読み取るために用いられ、電力管理ユニット５１１及びデータ転送インターフェイス４４１をオンラインミュージックプレイヤーユニット４０と共用し、同時にコンピューターシステム３０を通してネットワークにつながることで、消費者は特定のショッピングプラットフォームで消費行為を行うことができる。
【００３２】
図６は、本考案が提供する、オンラインミュージックプレイヤーとチップカードリーダーの機能を結合した装置が達成するオンライン決済システムを示す概略図である。その中で、個人消費者６１、オンラインサービスサーバー６３そしてインフォメーションサーバー６５の三者の関係を示している。オンラインサービスサーバー６３は、上述のインターネットインフォメーションサービスプラットフォームのような、特定のオンラインショッピングのサービス提供プラットフォームのことであり、各種オンラインショッピングの製品と関連情報を提供する。インフォメーションサーバー６５は、消費者がプリペイド機能を備えたチップカードで消費行為を行うときに消費金額とチップカードの残高を確認するために用いられ、特別なのは、インフォメーションサーバー６５はチップカードの識別、並びにチップカードのプリペイド金額と消費の引き落とし金額の確認にだけ用いられ、いかなる消費者認証及び保存された個人データとの対比は行わないことである。
【００３３】
個人消費者６１、オンラインサービスサーバー６３そしてインフォメーションサーバー６５の三者の好ましい実施例は、インターネットにより相互を接続し、インターネットを通して各種データを転送する方法である。例を挙げると、個人消費者６１は、インターネットを通じてオンラインサービスサーバー６３に接続し、オンラインサービスサーバー６３はユーザーインターフェイスを利用して製品を表示し、個人消費者６１に選択・購入させる。個人消費者６１がプリペイド機能を備えたチップカードを使用して選択・消費行動を行う時は、本考案におけるオンラインミュージックプレイヤーとチップカードリーダーの機能を結合した装置によってチップカード内のデータを読取り、チップカードを識別するだけでよく、いかなるユーザー認証手順や個人データの転送も必要ない。
【００３４】
決済を行う手順において、個人消費者６１からオンラインサービスサーバー６３に決済データ（６０１）が転送されるが、このシステムが認識するのは人ではなくカードだけであるため、このチップカードに関する識別データも同時に転送される。この時、オンラインサービスサーバー６３は、商品にかかる費用と、消費者が所持するチップカードを対比し引き落としするだけでよい。それにより、このチップカードの識別データはインフォメーションサーバー６５に対して前記チップカードの残高照会（６０３）をし、インフォメーションサーバー６５は即座に応答して前記カードの残高確認（６０４）をする。続けて、オンラインサービスサーバー６３がデータフィードバック（６０２）を個人消費者６１にすることにより、決済手続きが完了したかどうかを確認することができる。
【００３５】
このシステムは、消費者自体ではなくチップカードを識別するだけなので、更に簡略された決済プロセスを有している。消費者は、いかなる認証プロセスも第三者（銀号のような）の権限授与も行う必要はなく、チップカード内のプリペイド金額を見るだけで決済を確認できる。それゆえ、個人データの流出のリスクを回避することができる。
【００３６】
上述したように、本考案はオンラインミュージックプレイヤーとチップカードリーダーの機能を結合した装置である。この装置は、共用のインターフェイスを通してコンピューターシステムに接続し、電力を共用できる。また、インターネットプラットフォーム代理プログラムと統合させることにより、チップカードリーダー装置とオンラインミュージックプレイヤー装置を同時に駆動することが可能である。さらに、オンラインサービスサーバーに接続することで、簡単かつ便利な消費目的を達成することができる。
【００３７】
上記内容は本考案の好ましい実施例に過ぎず、本考案の実用新案登録請求の範囲を限定するものではない。そのため、本考案で開示した趣旨を逸脱しないで完成された等価変更若しくは補正は、全て本案における実用新案登録請求の範囲に含まれる。
【符号の説明】
【００３８】
１０、３０      コンピューターシステム
１１、３１      インターネット
１２、３２      データ装置
１４            カードリーダー
１８            チップカード
２１            個人消費者
２３            サービス提供業者
２５            インフォメーションサーバー
２０１          要求認証
２０２、２０３  登録データ
２０４          ネットワーク
２０５          インフォメーションサービス
２０６          認証データ入力
３４            オンラインミュージックプレイヤー装置
３１１          インターネットインフォメーションサービスプラットフォーム
３０１          インターネットプラットフォーム代理プログラム
３６            チップカードリーダー装置
４０            オンラインミュージックプレイヤーユニット
４２            チップカードリーダーユニット
３８            チップカード
４４１          データ転送インターフェイス
４４４          拡声器
４４３          拡大ユニット
４４２          音効処理ユニット
４４５          接続インターフェイス
５１１          電力管理ユニット
５１２          入力インターフェイス
５１３          出力インターフェイス
５１４          ファンクションキー
６１            個人消費者
６３            オンラインサービスサーバー
６５            インフォメーションサーバー
６０１          決済データ
６０２          データフィードバック
６０３          残高照会
６０４          決済確認
【図１】
0003154053.tif 000003
【図２】
0003154053.tif 000004
【図３】
0003154053.tif 000005
【図４】
0003154053.tif 000006
【図５】
0003154053.tif 000007
【図６】
0003154053.tif 000008
【手続補正書】
【提出日】平成21年7月27日(2009.7.27)
【手続補正１】
【補正対象書類名】実用新案登録請求の範囲
【補正対象項目名】請求項１
【補正方法】変更
【補正の内容】
【請求項１】
コンピューターシステムに接続するデータ転送インターフェイスと、インターネットを通じてダウンロードしたストリーミングミュージック信号のデジタルアナログ変換を行う音効処理ユニットと、前記音効処理ユニットに電気接続し処理されていないストリーミングミュージック信号を一時的に保存するために用いられる記憶ユニットと、変換されたストリーミングミュージック信号を出力するために用いられる拡声器を含み、インターネットインフォメーションサービスプラットフォームが識別に用いる識別コードを有しているオンラインミュージックプレイヤーユニットと、
接続インターフェイスによって前記オンラインミュージックプレイヤーユニットに接続され前記コンピューターシステムによって前記インターネット経由で前記インターネットインフォメーションサービスプラットフォームに接続されるチップカードリーダーユニットとを備え、
前記オンラインミュージックプレイヤーユニットと前記チップカードリーダーユニットは前記コンピューターシステムと接続するインターフェイスを共有し、且つ前記コンピューターシステムが提供する電力を共有することを特徴とする、オンラインミュージックプレイヤーとチップカードリーダーの機能を結合した装置。
【手続補正２】
【補正対象書類名】実用新案登録請求の範囲
【補正対象項目名】請求項２
【補正方法】変更
【補正の内容】
【請求項２】
コンピュータシステムにインストールしたプログラムによって駆動されることを特徴とする、請求項１に記載したオンラインミュージックプレイヤーとチップカードリーダーの機能を結合した装置。
【手続補正３】
【補正対象書類名】実用新案登録請求の範囲
【補正対象項目名】請求項７
【補正方法】変更
【補正の内容】
【請求項７】
前記オンラインミュージックプレイヤーユニットと前記チップカードリーダーユニットは、コンピュータシステムにインストールしたプログラムによって同時に駆動されることを特徴とする、請求項１に記載したオンラインミュージックプレイヤーとチップカードリーダーの機能を結合した装置
【手続補正４】
【補正対象書類名】明細書
【補正対象項目名】００１１
【補正方法】変更
【補正の内容】
【００１１】
ユーザー側に接続したコンピューターシステムは、接続インターフェイスによってオンラインミュージックプレイヤー装置に接続する。主な実施例は、拡声器を備えたスピーカーである。それ自身がファームウェアに記録する識別コードを有し、コンピューターシステムに接続するとき自動或いは手動で、コンピュータシステムにインストールしたプログラムを起動することで、自動的にインターネットに接続して前記インターネットインフォメーションサービスプラットフォームからストリーミングミュージックをダウンロードすることができ、同時に、オンラインミュージックプレイヤーとチップカードリーダーの機能を結合した装置を駆動することができる。チップカードリーダー装置は、このオンラインミュージックプレイヤー装置を通してインターネットに接続され、さらにインターネットインフォメーションサービスプラットフォームに接続される。ユーザーはこのチップカードリーダー装置によって一歩進んだ消費行為を行うことができる。
【手続補正５】
【補正対象書類名】明細書
【補正対象項目名】００１３
【補正方法】変更
【補正の内容】
【００１３】
チップカードリーダー装置は給電し初期化した後、チップカードのデータを読み取ることができる。好ましい実施例は、カードを差し込む接触方式によりチップカードのデータを読み取る方法と、非接触の感応方式によってチップカードデータを読み取る方法が含まれる。チップカードの信号を確認した後、コンピュータシステムにインストールしたプログラムを通してインターネットインフォメーションサービスプラットフォームと接続することにより、認証や個人データの転送が必要無い取引や決済を行うことができる。